(57)【要約】【課題】荷室内に設置した保冷庫／冷凍庫内の荷物を、荷室に登らず、楽な姿勢で出し入れすることができるバン型トラック用の保冷・冷凍庫を提供すること。【解決手段】保冷庫／冷凍庫３は、バン型トラック１の荷物を積む荷室２内に設けられ、保冷庫／冷凍庫３を開閉するための蓋６を有する。バン型トラック１の荷室２は、車幅方向の側壁２ｂに扉５を設置し、扉６から保冷庫／冷凍庫３の蓋６を開閉し、被保冷物を出し入れできる。【選択図】　　　図２
2004108720.tif 000002
【特許請求の範囲】
【請求項１】
バン型トラックの荷室内に保冷庫／冷凍庫を設けたバン型トラックの荷室用保冷・冷凍庫であって、
前記保冷庫／冷凍庫は、この保冷庫／冷凍庫を開閉する蓋を有し、
前記荷室は、車幅方向の側壁に扉を設置し、前記扉から前記保冷庫／冷凍庫の蓋を開閉し、被保冷物を出し入れできることを特徴とするバン型トラックの荷室用保冷・冷凍庫。
【請求項２】
前記荷室は、前記側壁に、前記保冷庫／冷凍庫の蓋に重なるようにして設置した扉を有することを特徴とする請求項１に記載のバン型トラックの荷室用保冷・冷凍庫。
【請求項３】
前記保冷庫／冷凍庫の長手方向は、前記荷室の前壁に車幅方向に沿って配置すると共に、前記保冷庫／冷凍庫の蓋を荷室の側壁近傍に設置したことを特徴とする請求項１に記載のバン型トラックの荷室用保冷・冷凍庫。
【請求項４】
前記保冷庫／冷凍庫は、保冷庫／冷凍庫の車幅方向の少なくとも一方に前記蓋を設置し、
前記荷室は、車幅方向の左右の側壁にそれぞれ前記扉を設置したことを特徴とする請求項１乃至請求項３のいずれか１項に記載のバン型トラックの荷室用保冷・冷凍庫。
【請求項５】
前記保冷庫／冷凍庫は、車幅方向に摺動する引き出しを有することを特徴とする請求項１乃至請求項４のいずれか１項に記載のバン型トラックの荷室用保冷・冷凍庫。
【発明の詳細な説明】
【０００１】
【発明の属する技術分野】
本発明は、バン型トラックの荷室用保冷・冷凍庫に関し、特に、荷室内に搭載した保冷庫／冷凍庫内の被保冷物を容易に取り出せるようにしたバン型トラックの荷室用保冷・冷凍庫に関する。
【０００２】
【従来の技術】
従来、バン型トラックの荷室内の前方側に保冷庫や冷凍庫を取り付け、要冷凍又は要冷蔵の被保冷物を、冷凍又は冷蔵した状態で輸送することが行われている。
バン型トラックの荷室は、車体の後方側に観音扉を有し、その観音扉から荷室内の全ての被保冷物の出し入れが行われている。
また、このようなバン型トラックに搭載される保冷庫等は、荷室内の奥側に設置され、保冷庫等内の被保冷物の出し入れをする開閉用の蓋は、その冷凍庫等の上面に設置されている（例えば、特許文献１参照）。
【０００３】
【特許文献１】
特開平１０−２６５０号公報（第３〜４頁、図１及び図２）
【０００４】
【発明が解決しようとする課題】
しかしながら、特許文献１の車載用保冷庫において、保冷庫内の被保冷物を作業員が出し入れする場合、作業員は、荷室の観音扉を開けて荷室内に登って入り込み、保冷庫の蓋を上方に引き上げて開放してから、被保冷物を引き上げなければならない。
このため、作業員は、被保冷物を保冷庫から出し入れする度に、荷室に登り降りしなければならず、要冷凍及び要冷蔵の被保冷物の出し入れ作業が厄介で、宅配時間や輸送時間のロスタイムにもなっていた。
また、作業員は、荷室内に入って保冷庫から被保冷物を取り出すときに、蓋が保冷庫の上面に設置されていることにより、腰を前方に曲げた前屈立ちの姿勢で保冷庫の底から被保冷物を出さなければならないため、腰痛の原因にもなっている。
【０００５】
本発明の課題は、荷室内に設置した保冷庫／冷凍庫内の被保冷物を、荷室に登らず、楽な姿勢で出し入れすることができるバン型トラックの荷室用保冷・冷凍庫を提供することにある。
【０００６】
【課題を解決するための手段】
前記課題を解決するために、請求項１に記載のバン型トラックの荷室用保冷・冷凍庫は、バン型トラックの荷室内に保冷庫／冷凍庫を設けたバン型トラックの荷室用保冷・冷凍庫であって、保冷庫／冷凍庫は、この保冷庫／冷凍庫を開閉する蓋を有し、荷室は、車幅方向の側壁に扉を設置し、扉から保冷庫／冷凍庫の蓋を開閉し、被保冷物を出し入れできることを特徴とする。
【０００７】
請求項１に記載の発明によれば、荷室の車幅方向の側壁に扉を設置し、その扉から保冷庫／冷凍庫の蓋を開閉して被保冷物を出し入れできるようにしたことにより、作業者は、荷室に登らずに荷室外の側壁から荷室内の保冷庫／冷凍庫の蓋を容易に開閉して被保冷物を出し入れすることができるため、宅配時間や輸送時間を削減することができる。
【０００８】
請求項２に記載のバン型トラックの荷室用保冷・冷凍庫は、請求項１に記載のバン型トラックの荷室用保冷・冷凍庫であって、荷室は、側壁に、保冷庫／冷凍庫の蓋に重なるようにして設置した扉を有することを特徴とする。
【０００９】
請求項２に記載の発明によれば、荷室の側壁に、保冷庫／冷凍庫の蓋に重なるようにして設置した扉を有するため、その扉を開けることにより、保冷庫／冷凍庫の蓋を荷室の外側から開放することができるようになる。このため、作業者は、荷室に登らずに荷室外の側壁の扉から荷室内の保冷庫／冷凍庫の蓋を容易に開閉して被保冷物を出し入れすることができ、宅配時間や輸送時間を削減することができる。また、荷室が保冷庫の場合、荷室の扉と冷凍庫の蓋が重なるので、冷凍庫から被保冷物を出し入れしても、保冷庫の熱の損失がない。
【００１０】
請求項３に記載のバン型トラックの荷室用保冷・冷凍庫は、請求項１に記載のバン型トラックの荷室用保冷・冷凍庫であって、保冷庫／冷凍庫の長手方向は、荷室の前壁に車幅方向に沿って配置すると共に、保冷庫／冷凍庫の蓋を荷室の側壁近傍に設置したことを特徴とする。
【００１１】
請求項３に記載の発明によれば、保冷庫／冷凍庫の長手方向は、荷室の前壁に車幅方向に沿って配置したことにより、荷室の後方側に荷物を積むための空間を広く設けることができるため、荷室の後方側に積む荷物の出し入れ作業を行い易くすると共に、荷物を有効的に積載することができる。そして、重量のある保冷庫／冷凍庫を荷室の前壁に車幅方向に沿って配置したことにより、荷室に他の荷物を載せたときの自動車の重量配分を車体全体に略均一にすることができるため、運転性能を良好にすることができる。
また、保冷庫／冷凍庫の蓋の側壁近傍に設置したことにより、荷室の側壁の扉を開閉することができるため、荷室内の保冷庫／冷凍庫の蓋を容易に開閉して被保冷物を出し入れすることができる。このため、保冷庫／冷凍庫内の被保冷物の出し入れ作業を容易にし、宅配時間及び輸送時間の短縮化を図ることができる。
【００１２】
請求項４に記載のバン型トラックの荷室用保冷・冷凍庫は、請求項１乃至請求項３のいずれか１項に記載のバン型トラックの荷室用保冷・冷凍庫であって、保冷庫／冷凍庫は、保冷庫／冷凍庫の車幅方向の少なくとも一方に蓋を設置し、荷室は、車幅方向の左右の側壁にそれぞれ扉を設置したことを特徴とする。
【００１３】
請求項４に記載の発明によれば、荷室に、車幅方向の左右の側壁にそれぞれ扉を設置したことにより、荷室の両側から保冷庫／冷凍庫に入れた被保冷物や荷室の前壁側に積載した荷物を、容易に取り出すことができるため、保冷庫／冷凍庫及び荷室への荷物の出し入れ作業を容易にすることができる。
【００１４】
請求項５に記載のバン型トラックの荷室用保冷・冷凍庫は、請求項１乃至請求項４のいずれか１項に記載のバン型トラックの荷室用保冷・冷凍庫であって、保冷庫／冷凍庫は、車幅方向に摺動する引き出しを有することを特徴とする。
【００１５】
請求項５に記載の発明によれば、保冷庫／冷凍庫は、車幅方向に摺動する引き出しを有することにより、保冷庫／冷凍庫の奥に収納した被保冷物を容易に取り出すことができるため、被保冷物の出し入れを行い易くして、宅配や輸送の作業の効率を向上させることができる。
【００１６】
【発明の実施の形態】
以下、添付図面を参照して、本発明の実施形態について詳細に説明する。
なお、本発明の実施形態では、「前」は車両のフロント側、「後」は車両のリア側、「上」は鉛直上方側、「下」は鉛直下方側とする。
また、各実施形態の説明において、同一の構成要素に関しては同一の符号を付し、重複した説明は省略するものとする。
【００１７】
［第１実施の形態］
まず、図１乃至図４に基づき本発明の第１実施形態に係るバン型トラックの荷室用保冷・冷凍庫について説明する。
図１は、本発明の第１実施形態に係るバン型トラックの荷室用保冷・冷凍庫を示す図面で、荷室の扉を閉めているときの状態を示すバン型トラックの斜視図である。図２は、本発明の第１実施形態に係るバン型トラックの荷室用保冷・冷凍庫を示す図面で、荷室の扉を開けて冷凍庫の引き出しを引き出したときの状態を示す斜視図である。図３は、本発明の第１実施形態に係るバン型トラックの荷室用保冷・冷凍庫を示す図面で、荷室内の冷凍庫の設置状態を示す一部断面を有する斜視図である。図４は、本発明の第１実施形態に係るバン型トラックの荷室用保冷・冷凍庫を示す図面で、冷凍庫から被保冷物を取り出すときの状態を示す要部斜視図である。
【００１８】
図２及び図３に示すように、バン型トラック１は、荷室２内の前方側の床２ａに冷凍庫３を載置している。荷室２は、例えば所謂アルミバンと言われる箱状のバン型荷台からなり、後方側に低温保管が不要な一般的な荷物の出し入れをする観音扉４を設置している。荷室２内は、冷凍庫３の上面と、冷凍庫３の観音扉４側の床２ａの上とが、常温で輸送する荷物を積載する場所となる。荷室２の車幅方向の側壁２ｂには、冷凍庫３を開閉する蓋６に重なるようにして設置した扉５を設置している。
【００１９】
図２に示すように、扉５は、荷室２の床２ａと略同じ高さＨ１の位置に設置したレール７上を、車体の前後方向に摺動して窓２ｄを開閉する。扉５は、下端を前記レール７により支持され、上端を窓２ｄの窓枠（図示せず）により支持され、把手５ａに手を掛けて引くことにより窓２ｄを開閉する。扉５及び窓２ｄの前後・上下方向の長さは、冷凍庫３の蓋６の前後・上下方向の長さより長くして、例えば引き出しからなる蓋６を窓２ｄから引き出すことができるように形成されている。
【００２０】
図３に示すように、冷凍庫３は、例えば要冷凍の被保冷物を冷凍して保管する冷凍室８と、その冷凍室８を冷凍する温度に下げるための冷凍機９から構成される。冷凍庫３は、荷室２内の前壁２ｅに当接させ、かつ車幅方向に向けて横置きにして配置される。冷凍庫３の車幅方向の幅Ｌ２は、冷凍庫３が荷室２内に入れることができるように、荷室２内の幅Ｌ１より若干短く形成する。冷凍庫３の冷凍室８の開口部３ａを開閉する蓋６は、例えば引き出し１０からなる。冷凍庫３及び引き出し１０は、例えばウレタンフォーム等の保温性のある断熱材により形成される。
【００２１】
尚、特許請求の範囲及び実施の形態におけるところの「保冷庫／冷凍庫」は、「冷凍庫３」に相当する。冷凍庫３は、少なくとも外気温と相違する温度に冷凍庫３内を保持するものであればよく、冷蔵庫や保冷庫や保温庫やクーラーボックス等であってもよい。
【００２２】
尚、冷凍庫３は、冷凍室８と冷凍機９が分離したものでも、一体のものでもどちらであってもよい。また、冷凍機９は、熱を発するため、荷室２外の運転席の屋根の上に載設してもよい。
【００２３】
次に、本発明の第１実施形態に係るバン型トラックの荷室用保冷・冷凍庫の作用を説明する。
図１に示すように、冷凍庫３内に被保冷物を出し入れする場合は、まず、扉５の把手５ａに手を掛けて、扉５を車体の後方側に引き、窓２ｄを開放する。このとき、扉５は、荷室２の床２ａと同じ高さＨ１（図２参照）にあるため、開け閉めの作業が行い易い。
【００２４】
図２に示すように、窓２ｄを開けるとその窓２ｄ内には、冷凍庫３の蓋６が現れる。その冷凍庫３の把手６ａに手を掛けて引き出し１０を引き出すことにより、冷凍庫３の蓋６を開放して冷凍庫３に被保冷物を出し入れすることができる。このため、作業員は、荷室２の床２ａに登り降りして、荷室２内に出し入れせずに、冷凍庫３内の被保冷物を出し入れすることができるため、その被保冷物の出し入れ作業を容易にして、作業の効率化を図ると共に、宅配時間を短縮することができる。
【００２５】
冷凍庫３は、冷凍室８が引き出し１０から構成されることにより、引き出し１０から被保冷物を出すときは、その被保冷物の大きさや収納位置に合わせて、大きく引き出して開放すればよいため、引き出し１０の開放量により冷気の放出を調整することができる。
【００２６】
また、図２に示すように、冷凍庫３の地面からの高さＨ１は、冷凍庫３を荷室２の床２ａの上に載置したことにより、荷室２の高さと略同じ高さにある。このため、図４に示すように冷凍室８の底及び引き出し１０の底の高さＨ２は、作業者の膝の高さと略同じ高さになる。このため、作業者が冷凍庫３への被保冷物の出し入れ作業、蓋６の開閉作業及び引き出し１０の押し引き作業をするとき、作業者は腰を曲げずに、自然な立ち姿の姿勢で作業ができるため、被保冷物の出し入れ作業時に腰にかかる負担を減少させることができる。
【００２７】
［第２実施の形態］
次に本発明の第２実施形態に係るバン型トラックの荷室用保冷・冷凍庫について説明する。
図５は、本発明の第２実施形態に係るバン型トラックの荷室用保冷・冷凍庫を示す図面であり、冷凍庫の引き出しの構造を示す要部概略図である。
【００２８】
本発明の第２実施形態に係るバン型トラックの荷室用保冷・冷凍庫は、前記第１実施形態に係るバン型トラックの荷室用保冷・冷凍庫の引き出し１０（図２参照）の取り出し口１０ａ（図２参照）を斜めに形成した蓋部材１２を配設したものである。
【００２９】
図５に示すように、引き出し１１は、取り出し口１１ａの荷室外側の高さＨ３を取り出し口１１ａの冷凍庫３の奥側の高さＨ４より低くして、取り出し口１１ａに傾斜面１１ｂを形成している。
【００３０】
引き出し１１は、その傾斜面１１ｂに合わせて形成された傾斜面１２ａを有する蓋部材１２により、取り出し口１１ａが開閉される。蓋部材１２は、引き出し１１の冷凍庫３の奥側の上端部に設置した蝶番１３を、冷凍庫３の奥側に位置する下端部に設置して、上下方向に開放できるようにしている。引き出し１１及び蓋部材１２は、例えば保温性のあるウレタンフォーム等の断熱材により形成される。
【００３１】
本発明の第２実施形態に係るバン型トラックの荷室用保冷・冷凍庫は、このように構成された引き出し１１を使用することにより、取り出し口１１ａの荷室外側の高さＨ３が低いため、引き出し１１内の被保冷物を高く引き上げることなく取り出すことができる。これにより、作業者は、肘を大きく曲げずに被保冷物を持ち上げることができるようになるため、腕に負担が余りかからず、宅配の作業効率を向上させることができる。
【００３２】
［第３実施の形態］
次に本発明の第３実施形態に係るバン型トラックの荷室用保冷・冷凍庫について説明する。
図６は、本発明の第３実施形態に係るバン型トラックの荷室用保冷・冷凍庫を示す図面であり、冷凍庫の構造を示す要部概略図である。
【００３３】
本発明の第３実施形態に係るバン型トラックの荷室用保冷・冷凍庫は、前記第１実施形態に係るバン型トラックの荷室用保冷・冷凍庫の引き出し型の蓋６（図２参照）を、蝶番により横方向に開いて開口部３ａを開閉する蓋１４にしたものである。
【００３４】
図６に示すように、冷凍庫３は、横方向に開口部３ａを形成し、その開口部３ａを閉塞する蓋１４を設置している。冷凍庫３及び蓋１４は、例えば保温性のあるウレタンフォーム等の断絶材により形成される。開口部３ａ及び蓋１４の左右の一方の端部には、蝶番１５が設置されて、開口部３ａを蓋１４により開閉できるようにしている。
【００３５】
このように、本発明の第３実施形態に係るバン型トラックの荷室用保冷・冷凍庫では、冷凍庫３の開口部３ａに前記蓋１４を設置したことにより、蓋１４を開放すれば、被保冷物を持ち上げることなく冷凍庫３から引き出すことができる。このため、作業者は、肘を曲げずに被保冷物を持ち上げることができるようになるため、被保冷物の持ち上げ時に、腰に負担が余りかからず、宅配の作業効率を向上させることができる。
【００３６】
［第４実施の形態］
図７は、本発明の第４実施形態に係るバン型トラックの荷室用保冷・冷凍庫を示す図面であり、冷凍庫の構造を示す要部概略図である。
【００３７】
本発明の第４実施形態に係るバン型トラックの荷室用保冷・冷凍庫は、前記第３実施形態に係るバン型トラックの荷室用保冷・冷凍庫の冷凍庫３に引き出し型のボックス１６を、出し入れ自在に設置したものである。
【００３８】
図７に示すように、冷凍庫３の冷凍室８には、冷凍室８の奥行き、開口部３ａの横方向の長さ及び高さの寸法に合わせて、冷凍庫３内に出し入れできるように形成されたボックス１６が挿入される。ボックス１６は、例えば保温性のあるウレタンフォーム等により形成され、上面に取り出し口１６ａを形成している。
【００３９】
このように、本発明の第４実施形態に係るバン型トラックの荷室用保冷・冷凍庫では、冷凍庫３の開口部３ａから冷凍室８に出し入れされるボックス１６を設置したことにより、蓋１４を開放すれば、ボックス１６ごと被保冷物を引き出すことができる。このため、作業者は、ボックス１６の奥に収納した被保冷物を容易に取り出すことができる。また、ボックス１６を、別の被保冷物を入れた他のボックス１６に交換することにより、冷凍庫３に入れる被保冷物を容易に入れ替えることができる。
【００４０】
［第５実施の形態］
図８は、本発明の第５実施形態に係るバン型トラックの荷室用保冷・冷凍庫を示す図面であり、冷凍庫の構造を示す要部概略図である。
【００４１】
本発明の第５実施形態に係るバン型トラックの荷室用保冷・冷凍庫は、前記第１実施形態に係るバン型トラックの荷室用保冷・冷凍庫の引き出し１０（図２参照）を、回動自在に設置したものである。
【００４２】
図８に示すように、冷凍室８の開口部３ａには、冷凍室８の奥行き、開口部３ａの横方向の長さ及び高さの寸法に合わせて、開口部３ａの横側端部に設置した軸部１７ａを中心に回動できるように形成された回動ボックス１７が設置されている。回動ボックス１７は、例えば保温性のあるウレタンフォーム等の断熱材により形成され、上面に取り出し口１７ｂを形成している。回動ボックス１７は、軸部１７ａから離れた位置の側面１７ｃを曲面にした４分の１の円分形状の箱体からなる。回動ボックス１７を回動して冷凍室８に収納したときに、開口部３ａに一致する回動ボックス１７の表面１７ｄには、把手１７ｅが設置されている。
【００４３】
このように、本発明の第６実施形態に係るバン型トラックの荷室用保冷・冷凍庫では、冷凍庫３の開口部３ａから冷凍室８に回動して出し入れされる回動ボックス１７を設置したことにより、取り出し口１７ｂの面積が狭いため、冷凍室８内の冷気が冷凍室８から放出されることを抑制して、冷却効率を向上させることができる。このため、荷室２内が高温になったとしても冷凍室８内を効率良く冷却することができる。
【００４４】
［第６実施の形態］
図９は、本発明の第６実施形態に係るバン型トラックの荷室用保冷・冷凍庫を示す図面であり、（ａ）は冷凍庫の構造を示す要部概略図であり、（ｂ）は、蓋の要部拡大縦断面図である。
【００４５】
本発明の第６実施形態に係るバン型トラックの荷室用保冷・冷凍庫は、前記第３実施形態に係るバン型トラックの荷室用保冷・冷凍庫の冷凍庫３に蓋１４を、シャッタにしたものである。
【００４６】
図９（ａ）に示すように、冷凍室８の開口部３ａには、開口部３ａを開閉するためのシャッタ１８を有する。シャッタ１８は、表面に細長い板状のスラット１８ａを湾曲できるように多数連設してなり、開口部３ａの上端から下端に向けて引き出せるように設置されている。冷凍室８の天井面には、シャッタ１８を保持する保持部３ｂが形成されている。
【００４７】
図９（ｂ）に示すように、シャッタ１８は、ヒンジ部１８ｂを有するスラット１８ａと、ヒンジ部１８ｂを回動自在に係合した環状部材１８ｃと、環状部材１８ｃを連結する連結部材１８ｄと、各スラット１８ａ間の中側に配設された断熱部材１８ｅとから構成されている。
【００４８】
スラット１８ａは、合成樹脂又は金属から構成され、軸棒状のヒンジ部１８ｂを中心として回動する。環状部材１８ｃは、ヒンジ部１８ｂを包むように回動自在に設けられた断面がＣ字状の部材である。連結部材１８ｄは、例えば弾性変形する板状の合成樹脂からなり、両端を環状部材１８ｃに固着している。断熱部材１８ｅは、冷凍室８から冷気が放出されることを防止するために、各スラット１８ａ間の空間に設置される。断熱部材１８ｅは、例えば保温性のあるウレタンフォーム等からなる。
【００４９】
このように、本発明の第６実施形態に係るバン型トラックの荷室用保冷・冷凍庫では、冷凍庫３の開口部３ａを、断熱部材１８ｅを内設したシャッタ１８により開閉することにより、開口部３ａを開放してもシャッタ１８が開口部３ａより出ないため、作業スペースを確保することができる。
【００５０】
［第７実施の形態］
図１０は、本発明の第７実施形態に係るバン型トラックの荷室用保冷・冷凍庫を示す図面であり、冷凍庫の構造を示す要部概略図である。
【００５１】
本発明の第７実施形態に係るバン型トラックの荷室用保冷・冷凍庫は、前記第３実施形態に係るバン型トラックの荷室用保冷・冷凍庫の冷凍庫３に蓋１４（図６参照）を、上側から開くようにすると共に、第２の蓋となる巻き取り式のシート２０を設置したものである。
【００５２】
図１０に示すように、冷凍室８の開口部３ａには、開口部３ａの上端部から開放して開く蓋１９を有する。開口部３ａ内の冷凍室８の天井面には、シート２０を巻き取るためのロール状の巻き取り具２１が設置されている。蓋１９は、外側面には把手１９ａを備え、冷凍室８側の内面には４分の１の円分形状の衝立２２を有する。
【００５３】
シート２０は、巻き取り具２１から引き出して、先端に設置した棒状部材２０ａの両端を衝立２２の複数箇所に形成した係止溝２２ａに係止することにより、適度な開度で開口部３ａを開放することができる。シート２０は、湾曲変形することができる断熱材又はビニールシート等からなる。棒状部材２０ａの中央部には、シート２０により開口部３ａを全閉状態に保持するために、係止部１９ｂに係止するフック２０ｂを有する。
【００５４】
巻き取り具２１は、例えば両端にねじりコイルばね（図示せず）を設置してシート２０を巻き取る方向に弾性力を有する。衝立２２の係止溝２２ａは、例えば、開口部３ａを全閉する角度９０度の位置、角度４５度の位置、及び角度６０度の位置に形成される。
【００５５】
このように、本発明の第７実施形態に係るバン型トラックの荷室用保冷・冷凍庫では、蓋１９の中側に開口部３ａを閉塞することができるシート２０を設置したことにより、開口部３ａをシート２０により閉塞して冷気が冷凍室８外に放出されることを防止することができる。
【００５６】
［第８実施の形態］
図１１は、本発明の第８実施形態に係るバン型トラックの荷室用保冷・冷凍庫を示す図面であり、大型バン型トラック用の冷凍庫を示す要部概略図である。図１２は、本発明の第８実施形態に係るバン型トラックの荷室用保冷・冷凍庫を示す図面であり、大型バン型トラック用の冷凍庫の配置を示す要部概略図である。
【００５７】
本発明の第８実施形態に係るバン型トラックの荷室用保冷・冷凍庫は、前記第１〜７実施形態に係るバン型トラックの荷室用保冷・冷凍庫の冷凍庫３を２列に配置して大型バン型トラック２６（図１２参照）に適したものに形成する。
【００５８】
図１１及び図１２に示すように、冷凍庫３は、荷室２内の前壁２ｅに当接するようにして横方向に向けて配置した冷蔵庫２３と、その冷蔵庫２３の後方側に隣設した冷凍庫２４，２５と、その冷凍庫２４と冷凍庫２５の間に設置された冷凍機９とから構成される。冷凍庫３は、前方側の１列目に冷蔵室２３ａ内の室温を摂氏０℃以上にした冷蔵庫２３を配置し、後方側の２列目に冷凍室８内の室温を摂氏０℃以下にした冷凍庫２４，２５と、冷凍庫２４，２５の冷凍室８及び冷蔵庫２３の冷蔵室２３ａを冷却するための冷凍機９とを配置している。
【００５９】
図１２に示すように、冷凍庫３の車幅方向の長さＬ４は、大型バン型トラック２６の荷室２内に横向きに入るように、荷室２の車幅方向の長さＬ３により僅かに短い長さとする。
【００６０】
冷蔵庫２３は、車幅方向の左右外側に、例えば引き出し型の蓋２３ｂ，２３ｃを配設して、荷室２の左右のどちらからでも被保冷物を出し入れできるようにしている。その蓋２３ｂ，２３ｃの外側面には、それぞれ把手２３ｄを設置している。蓋２３ｂ，２３ｃの車幅方向の外側には、蓋２３ｂ，２３ｃに重なるようにしてそれぞれ設けた扉５ｂ，５ｃが設置されている。この冷蔵庫２３には、摂氏０℃以上の低温に保管すべき要冷蔵の被保冷物が保管される。
【００６１】
冷凍機９は、冷蔵庫２３の後方側の中央に隣設され、この冷凍機９の両側に冷凍庫２４，２５が配設される。冷凍機９は、冷凍庫２４，２５に冷凍室８内を凍らせるための冷媒を送り、冷蔵庫２３に冷蔵室２３ａ内を摂氏１〜１０℃程度の低温にするための冷媒を送って冷却する。
【００６２】
冷凍庫２４，２５は、冷凍機９と荷室２の左右側壁２ｂ，２ｃの間にそれぞれ配置される。冷凍庫２４，２５は、同一構造のものであり、左右外側に例えば引き出し型の蓋２４ａ，２５ａを備えている。その蓋２４ａ，２５ａの外側面には、それぞれ把手２４ｂが設置されている。
【００６３】
荷室２の左右側壁２ｂ，２ｃには、冷蔵庫２３及び冷凍庫２４，２５の蓋２３ｂ，２３ｃ，２４ａ，２５ａが開放して開くことができるように、その蓋２３ｂ，２３ｃ，２４ａ，２５ａより縦及び横の長さが長い扉５ｂ，５ｃ，５ｄ，５ｅを有する。蓋２３ｂ，２３ｃ，２４ａ，２５ａは、例えば観音扉等からなり、その蓋２３ｂ，２３ｃ，２４ａ，２５ａの外側面にはそれぞれ把手５ｅ，５ｆが設置されている。
【００６４】
このように、本発明の第８実施形態に係るバン型トラックの荷室用保冷・冷凍庫では、大型バン型トラックに荷室２の車幅方向の長さに合わせて、冷凍庫３の車幅方向の長さを長くすると共に、冷凍庫３を２列に配置して、冷凍庫３の数を増やした。これにより、要冷蔵及び要冷凍の被保冷物を多く宅配することが可能になる。
【００６５】
冷凍庫３は、荷室２の前方側１列目に冷蔵庫２３を設置し、その冷蔵庫２３の後方側に左右に冷凍庫２４，２５を設置し、その冷凍庫２４と冷凍庫２５の間に冷凍機９を配設した。これにより、冷凍機９は、熱気を排出する冷凍機９を後方側に設置して冷蔵庫２３及び冷凍庫２４，２５との対向面以外からその熱気を排出することができるため、冷蔵庫２３及び冷凍庫２４，２５を効率良く冷却することができる。また、冷凍機９は、冷蔵庫２３及び冷凍庫２４，２５に隣接させて配置しているため、冷媒を周囲の空気により暖められることなく、容易に送ることができる。
【００６６】
冷蔵庫２３及び冷凍庫２４，２５は、荷室２の左右の側壁２ｂ，２ｃにそれぞれ蓋２３ｂ，２３ｃ，２４ａ，２５ａを設けると共に、その蓋２３ｂ，２３ｃ，２４ａ，２５ａに重なるようにして荷室２の側壁２ｂ，２ｃに扉５ｂ，５ｃ，５ｄ，５ｅを設置した。このため、作業者は、被保冷物を荷室２の左右方向から出し入れできるため、冷蔵室２３ａ及び冷凍室８の奥に収納した被保冷物を効率よく、容易に出し入れすることができる。これにより、宅配作業の効率化を図り、宅配時間を短縮することができる。
【００６７】
［第９実施の形態］
図１３は、本発明の第９実施形態に係るバン型トラックの荷室用保冷・冷凍庫を示す図面であり、軽自動車のバン型トラックに適した冷凍庫の配置を示す要部概略図である。
【００６８】
本発明の第９実施形態に係るバン型トラックの荷室用保冷・冷凍庫は、前記第８実施形態に係るバン型トラックの荷室用保冷・冷凍庫の冷凍庫３を軽自動車のバン型トラックに適したものにしたものである。
【００６９】
図１３に示すように、軽自動車でなるバン型トラック２７（図１４参照）の荷室２の車幅方向の長さＬ６に合わせて、冷凍庫３の車幅方向の長さＬ５（図１４参照）を、前記第９実施形態で説明した大型バン型トラック２６（図１２参照）に搭載される冷凍庫３の車幅方向の長さＬ４より短く形成している。
【００７０】
冷凍庫３は、荷室２内の前壁２ｅに当接するようにして横方向に向けて配置した冷蔵庫２８と、その冷蔵庫２８の後方側に隣設した冷凍庫２４と、その冷凍機９とから構成される。冷凍庫３は、前方側の１列目に冷蔵庫２８を配置し、後方側の２列目に冷凍庫２４と、冷蔵庫２８及び冷凍庫２４を冷却するための冷凍機９とを配置している。
【００７１】
冷凍庫２４及び冷蔵庫２８は、例えば車幅方向の左右の一方側にのみ蓋２４ａ，２８ａを配設して、荷室２の一方の側壁２ｂ側からのみ被保冷物を出し入れできるようにしている。
【００７２】
このように、本発明の第９実施形態に係るバン型トラックの荷室用保冷・冷凍庫では、軽自動車でなるバン型トラック２７（図１４参照）の荷室２の車幅方向の長さＬ６に合わせて、冷凍庫３の車幅方向の長さＬ５を長くすると共に、冷凍庫２４の数を大型バン型トラック２６（図１２参照）に搭載した冷凍庫２４，２５の数より少なくすることにより、軽自動車にバン型トラック２７に一致した大きさの冷凍庫３を提供することができる。
【００７３】
［第１０実施の形態］
図１４は、本発明の第１０実施形態に係るバン型トラックの荷室用保冷・冷凍庫を示す図面であり、荷室が冷凍室の場合の冷凍庫の配置を示す要部概略図である。
【００７４】
本発明の第１０実施形態に係るバン型トラックの荷室用保冷・冷凍庫は、前記第１実施形態に係るバン型トラックの荷室用保冷・冷凍庫の荷室２が冷凍室となっているバン型トラック１に適した冷凍庫３０を提供するものである。
【００７５】
図１４に示すように、バン型トラック２７は、運転席の屋根の上に冷凍機２９を設置して、この冷凍機２９により荷室２内の全体を冷凍している。荷室２内には、荷室２の前方側の側壁２ｂに設置した扉５に合わせて蓋３０ａを配設した冷凍庫３０が配置されている。荷室２を構成する床２ａ、側壁２ｂ，２ｃ、前壁２ｅ、観音扉４及び天井面は、断熱材により形成されている。
【００７６】
冷凍庫３０は、荷室２自体が冷凍室になっているため、その冷凍庫３０内を直接冷却する冷凍機は備えていない。冷凍庫３０は、扉５側に、開閉して被保冷物を出し入れするための蓋３０ａを配設し、上面に冷気取り入れ口３０ｂを穿設している。その冷気取り入れ口３０ｂには、金網からなる上蓋３１を載置している。
【００７７】
荷室２内には、冷凍食品等の要冷凍の被保冷物が積まれる。冷凍庫３０は、冷気取り入れ口３０ｂから冷気が入って０℃以下の温度になり、要冷凍の小物の被保冷物が収納される。
【００７８】
このように、本発明の第１０実施形態に係るバン型トラックの荷室用保冷・冷凍庫では、荷室２が冷凍室となっているその荷室２内に冷凍庫３０を設置したことにより、要冷凍の大型の被保冷物を観音扉４から荷室２に入れて宅配し、要冷凍の小物の被保冷物を冷凍庫３０に入れて区別して積んで宅配することができるため、被保冷物の積み降ろし作業を容易にして、宅配等の作業の効率化を図ることができる。
【００７９】
また、冷凍庫３０の上面に冷気取り入れ口３０ｂを形成して、この冷気取り入れ口３０ｂを金網からなる上蓋３１で閉塞したことにより、荷室２内の冷気は、上蓋３１の金網の目を通過して冷凍庫３０内に入り、冷凍庫３０内を冷却することができる。冷凍庫３の冷気取り入れ口３０ｂの上に上蓋３１を設置したことにより、上蓋３１の上に被保冷物を積載することも可能である。この場合、冷凍庫３に積載した被保冷物が、冷気取り入れ口３０ｂを全閉しないようにして、常に荷室２内の冷気が冷気取り入れ口３０ｂから入るように、金網からなる上蓋３１の上に被保冷物を積載しなければならない。
【００８０】
なお、本発明は、その技術思想の範囲内で種々の改造及び変更が可能であり、本発明はこれら改造及び変更された発明にも及ぶことは勿論である。
本実施形態での冷凍庫３，２４，２５及び冷蔵庫２３，２８は、冷凍庫や冷蔵庫に限定されるものではなく、例えば、外気温より高い温度に保つ保温庫や、外気温より低い温度に保つ保冷庫や、前記冷蔵庫や冷凍庫であっても良く、使用する被保冷物等の荷物の保管すべき温度に冷凍機９等で調整して、適宜に選んで使用すればよい。
【００８１】
また、冷凍庫３，２４，２５及び冷蔵庫２３，２８は、これらを冷却するために冷凍機９の代わりにドライアイスや氷により、被保冷物を冷却するようにしてもよい。
冷凍庫３，２４，２５及び冷蔵庫２３，２８は、これらを冷却するために冷凍機９の代わりに、冷凍庫３，２４，２５及び冷蔵庫２３，２８内を暖める加熱機として、弁当等の食品の荷物を暖めた状態で輸送するようにしてもよい。
【００８２】
【発明の効果】
以上説明したように、本発明の請求項１に記載のバン型トラックの荷室用保冷・冷凍庫によれば、荷室の車幅方向の側壁に扉を設置し、その扉から保冷庫／冷凍庫の蓋を開閉して被保冷物を出し入れできるようにしたことにより、作業者は、荷室に登らずに荷室外の側壁から荷室内の保冷庫／冷凍庫の蓋を容易に開閉して被保冷物を出し入れすることができるため、宅配時間や輸送時間を削減することができる。
【００８３】
本発明の請求項２に記載のバン型トラックの荷室用保冷・冷凍庫によれば、荷室の側壁に、保冷庫／冷凍庫の蓋に重なるようにして設置した扉を有するため、その扉を開けることにより、保冷庫／冷凍庫の蓋を荷室の外側から開放することができるようになる。このため、作業者は、荷室に登らずに荷室外の側壁の扉から荷室内の保冷庫／冷凍庫の蓋を容易に開閉して被保冷物を出し入れすることができ、宅配時間や輸送時間を削減することができる。また、荷室が保冷庫の場合、荷室の扉と冷凍庫の蓋が重なるので、冷凍庫から被保冷物を出し入れしても、保冷庫の熱の損失がない。
【００８４】
本発明の請求項３に記載のバン型トラックの荷室用保冷・冷凍庫によれば、保冷庫／冷凍庫の長手方向は、荷室の前壁に車幅方向に沿って配置したことにより、荷室の後方側に荷物を積むための空間を広く設けることができるため、荷室の後方側に積む荷物の出し入れ作業を行い易くすると共に、荷物を有効的に積載することができる。そして、重量のある保冷庫／冷凍庫を荷室の前壁に車幅方向に沿って配置したことにより、荷室に他の荷物を載せたときの自動車の重量配分を車体全体に略均一にすることができるため、運転性能を良好にすることができる。
また、保冷庫／冷凍庫の蓋の側壁近傍に設置したことにより、荷室の側壁の扉を開閉することができるため、荷室内の保冷庫／冷凍庫の蓋を容易に開閉して被保冷物を出し入れすることができる。このため、保冷庫／冷凍庫内の被保冷物の出し入れ作業を容易にして、宅配時間及び輸送時間の短縮化を図ることができる。
【００８５】
本発明の請求項４に記載のバン型トラックの荷室用保冷・冷凍庫によれば、荷室に、車幅方向の左右の側壁にそれぞれ扉を設置したことにより、荷室の両側から保冷庫／冷凍庫に入れた被保冷物や荷室の前壁側に積載した荷物を、容易に取り出すことができるため、保冷庫／冷凍庫及び荷室への荷物の出し入れ作業を容易にすることができる。
【００８６】
本発明の請求項５に記載のバン型トラックの荷室用保冷・冷凍庫によれば、保冷庫／冷凍庫は、車幅方向に摺動する引き出しを有することにより、保冷庫／冷凍庫の奥に収納した被保冷物を容易に取り出すことができるため、被保冷物の出し入れを行い易くして、宅配や輸送の作業の効率を向上させることができる。
【図面の簡単な説明】
【図１】本発明の第１実施形態に係るバン型トラックの荷室用保冷・冷凍庫を示す図面で、荷室の扉を閉めているときの状態を示すバン型トラックの斜視図である。
【図２】本発明の第１実施形態に係るバン型トラックの荷室用保冷・冷凍庫を示す図面で、荷室の扉を開けて冷凍庫の引き出しを引き出したときの状態を示す斜視図である。
【図３】本発明の第１実施形態に係るバン型トラックの荷室用保冷・冷凍庫を示す図面で、荷室内の冷凍庫の設置状態を示す一部断面を有する斜視図である。
【図４】本発明の第１実施形態に係るバン型トラックの荷室用保冷・冷凍庫を示す図面で、冷凍庫から被保冷物を取り出すときの状態を示す要部斜視図である。
【図５】本発明の第２実施形態に係るバン型トラックの荷室用保冷・冷凍庫を示す図面であり、冷凍庫の引き出しの構造を示す要部概略図である。
【図６】本発明の第３実施形態に係るバン型トラックの荷室用保冷・冷凍庫を示す図面であり、冷凍庫の構造を示す要部概略図である。
【図７】本発明の第４実施形態に係るバン型トラックの荷室用保冷・冷凍庫を示す図面であり、冷凍庫の構造を示す要部概略図である。
【図８】本発明の第５実施形態に係るバン型トラックの荷室用保冷・冷凍庫を示す図面であり、冷凍庫の構造を示す要部概略図である。
【図９】本発明の第６実施形態に係るバン型トラックの荷室用保冷・冷凍庫を示す図面であり、（ａ）は冷凍庫の構造を示す要部概略図であり、（ｂ）は、蓋の要部拡大縦断面図である。
【図１０】本発明の第７実施形態に係るバン型トラックの荷室用保冷・冷凍庫を示す図面であり、冷凍庫の構造を示す要部概略図である。
【図１１】本発明の第８実施形態に係るバン型トラックの荷室用保冷・冷凍庫を示す図面であり、大型バン型トラック用の冷凍庫の配置を示す要部概略図である。
【図１２】本発明の第８実施形態に係るバン型トラックの荷室用保冷・冷凍庫を示す図面であり、大型バン型トラック用の冷凍庫の配置を示す要部概略図である。
【図１３】本発明の第９実施形態に係るバン型トラックの荷室用保冷・冷凍庫を示す図面であり、軽自動車のバン型トラックに適した冷凍庫の配置を示す要部概略図である。
【図１４】本発明の第１０実施形態に係るバン型トラックの荷室用保冷・冷凍庫を示す図面であり、荷室が冷凍室の場合の冷凍庫の配置を示す要部概略図である。
【符号の説明】
１　バン型トラック
２　荷室
２ｂ，２ｃ　側壁
２ｅ　前壁
３，２４，２５，３０　冷凍庫
５，５ｂ，５ｃ，５ｄ，５ｅ　扉
６，１４，１９，２３ｂ，２３ｃ，２４ａ，２５ａ，３０ａ　蓋
８　冷凍室
９，２９　冷凍機
１０，１１　引き出し
１２　蓋部材
２３，２８　冷蔵庫
【図１】
2004108720.tif 000003
【図２】
2004108720.tif 000004
【図３】
2004108720.tif 000005
【図４】
2004108720.tif 000006
【図５】
2004108720.tif 000007
【図６】
2004108720.tif 000008
【図７】
2004108720.tif 000009
【図８】
2004108720.tif 000010
【図９】
2004108720.tif 000011
【図１０】
2004108720.tif 000012
【図１１】
2004108720.tif 000013
【図１２】
2004108720.tif 000014
【図１３】
2004108720.tif 000015
【図１４】
2004108720.tif 000016